(57)【要約】【課題】移動体受信機側で受信環境変化における番組表示速度向上を可能とする。【解決手段】格納ルールメモリ４には番組データの送出単位を定めた複数の格納ルールを事前登録しておく。番組形態数チェック部５は一時バッファに格納されたパケットの各ページについて、受信／更新単位を番組単位とする一括番組指定のページ数と受信／更新単位をページ単位とする非一括番組指定のページ数をカウントする。格納パターン判定部６はカウントされた一括番組のページ数と非一括番組のページ数の送出予定番組全ページ数に占める比率によって、格納ルールの内の何れを適用すべきかを判定する。送信制御部７は格納ルールに則って、一時バッファに格納されたパケットを送信データバッファへ転送する。【選択図】図２
2010147980.tif 000002
【特許請求の範囲】
【請求項１】
受信／更新単位をコンテンツ（番組）とする一括番組指定と、受信／更新単位を前記コンテンツのページとする非一括番組指定の比率によって、パケット化処理された番組データを一時バッファから送信データバッファへ転送するときの送出単位を格納ルールに則って切替え可能としたことを特徴とするＦＭ文字多重送出システム。
【請求項２】
番組生成装置からデータ転送されてくる番組素材データおよび編成データを取得して番組データをパケット化して一時バッファに格納するパケット化処理部と、
前記一時バッファから転送される番組データを送信するために格納する送信データバッファと、
番組データの送出単位を定めた複数の格納ルールを事前登録しておくための格納ルールメモリと、
前記一時バッファに格納されたパケットの各ページについて、受信／更新単位を番組単位とする一括番組指定のページ数と、受信／更新単位をページ単位とする非一括番組指定のページ数をカウントする番組形態数チェック部と、
前記カウントされた一括番組のページ数と非一括番組のページ数の送出予定番組全ページ数に占める比率によって、格納ルールの内の何れを適用すべきかを判定する格納パターン判定部と、
前記判定の結果により求めた格納ルールに則って、前記一時バッファに格納されたパケットを前記送信データバッファへ転送する送出制御部を有することを特徴とするＦＭ文字多重送出システム。
【請求項３】
前記格納パターン判定部は、番組受信機側における番組表示速度をも考慮して前記判定を行なうことを特徴とする請求項２に記載のＦＭ文字多重送出システム。
【請求項４】
前記送出制御部に対して、前記番組単位の連続送出、前記ページ単位の連続送出または前記パケット化データの均等送出を設定可能とし、前記判定の結果に拘わらず固定化することを特徴とする請求項２または３に記載のＦＭ文字多重送出システム。
【発明の詳細な説明】
【技術分野】
【０００１】
本発明は、ＦＭ文字多重送出システム、特に、文字情報を多重送出する為の分割化処理であるパケット化処理後の番組データについて送出の最適化を図ったＦＭ文字多重送出システムに関する。
【背景技術】
【０００２】
ＦＭ音声放送においては、放送ないしは伝送に使用する電波帯域に余裕があるため、いくつかの副搬送波を立て、その副搬送波を例えばＦＭ変調あるいは振幅、位相変調することにより、ステレオ音声信号や文字情報を同時放送することが行われている（例えば、特許文献１参照）。この文字情報をＦＭ音声放送に多重して放送するシステムをＦＭ文字多重送出システムと称する。ここでいう文字情報とは、必ずしも文字に限られず、視覚により認識できる情報を意味し、記号等も含むものとする。
【０００３】
ＦＭ文字多重送出においては、副搬送波の伝送帯域が限定されているため、文字情報の伝送量を減少させ、同時に多くの情報を送出させると共に、受信機の表示時間の短縮化が望まれている。上記特許文献１は、この要請に応えるため、文字データのオリジナルデータと、文字データを１バイト表示形式に変換したデータと、文字データを２バイト表示形式に変換したデータの各データ長を比較し、データ長の最も短いデータ形式を選択する、という文字データ量の最適化技術を開示する。これは、制御文字の比率によっては、２バイト表示形式の方が１バイト表示形式よりもデータ長が短いことがあること等を考慮した措置である。
【０００４】
また、ＦＭ文字多重放送はノイズ等の影響により受信されたディジタルデータにデータパケットの欠落が生じることが多いため、データ放送の番組のデータを送信する際には、データを確実に受信できるように、番組の１ページ分のグループデータを再送するようにしている（例えば、特許文献２参照）。グループデータのプリフィックスには更新フラグを設けて、内容が異なるグループデータを受信する毎に更新フラグを順次にインクリメントして巡回させる。このとき、受信状況の悪化により更新フラグが適正な表示をしないことがあるのを回避するため、受信状態フラグを更新フラグに付加した合成更新フラグの変化に基づいて出力情報を更新する。
【０００５】
また、ＴＶ文字多重放送に係わる技術であるが、一括形番組データを提示するとき、受信状態が不安定なため受信誤りが発生して中継が中断することを回避するため、番組データを記憶するバッファから読み出された番組データを記憶する２つの提示用番組メモリを供える（例えば、特許文献３参照）。そして、一方のメモリは番組提示に用いられ、他方のメモリは更新された番組データの記憶に用いられる。
【０００６】
【特許文献１】特開2000-031920（第２頁、図４）
【特許文献２】特開平11-098093（第２頁−第４頁、図１）
【特許文献３】特開平06-268974（第２頁−第３頁、図２）
【発明の開示】
【発明が解決しようとする課題】
【０００７】
安定した受信環境で、かつ固定設置が主体であるＴＶ文字多重受信機とは異なり、車等の移動体を中心とした、VICS（Vehicle Information Communication System：道路交通情報通信システム）等のＦＭ文字多重受信機（以下移動体受信機と称す）は、受信環境が逐次変化することによってノイズや建物等による短時間の受信障害を受け易い。
【０００８】
また、文字多重特有の番組形態指定フラグにより、受信／更新単位を番組単位とする一括番組指定の場合、受信中番組内の全ページデータを取得完了するまで移動体受信機側は、画面表示することが出来ない。一方、受信／更新単位をページ単位とする非一括番組指定の場合であれば、受信／更新したページ単位に移動体受信機側は画面表示が可能である。
【０００９】
従来のように、ＦＭ文字多重送出システム側がパケット化済みデータ群を一律に均等送出すると、移動体受信機側の受信環境変化が原因で一部パケット群を取得出来ない場合、多数の番組ページ表示に影響を及ぼすこととなる。この場合、移動体受信機側は取得出来なかったパケット群を再受信するまでは、しばらく画面表示できない状態が発生してしまうという問題点がある。
【００１０】
図８を参照して、この問題点を具体的に説明する。以下、番組とは、一般的な意味での番組とは異なり、ＦＭ文字多重送出対象のコンテンツを意味するものとする。図８は、図４に示すように、１つのページNo.254_01から成る非一括番組Ａ、２つのページNo.000_01,No.000_02から成る非一括番組Ｂ、６つのページNo.100_01,No.100_02,No.100_03,No.100_04,No.100_05,No.100_06から成る非一括番組Ｃ、６つのページNo.110_01,No.110_02,No.110_03,No.110_04,No.110_05,No.110_06から成る一括番組Ｄについて、パケット化後に、均等送出した場合を示している。均等送出とは、１つの番組の１つのページの１つのパケットの送出の次に、次の番組の１つのページの１つのパケットの送出というように、パケット単位の送出順序での送出をいう。
【００１１】
各ページは、図５に示すように、１０個のパケット群#1〜#aから成り、各パケット群は１０個のパケットから成る。図８の各段は１９個のパケット群、即ち１９０個のパケットを示し、従来は、この単位に均等送出される。いま、デュレーションタイム４０秒で送信中に、７段目に示すパケット群が落雷等により約５秒間分のノイズを受けた場合、受信機側では、番組番号254のパケット01#9、番組番号000のパケット01#9〜02#9、番組番号100のパケット01#9〜06#9、番組番号110のパケット01#8〜06#8とパケット01#9〜04#9が欠落する。従って、ノイズが全ての番組に影響し、移動体受信機では上記19個の欠落パケットを再受信するまで、全番組の全15頁を画面表示することができない。
【００１２】
そこで、本発明の目的は、ノイズの影響を緩和し、受信環境変化における移動体受信機側の番組表示速度向上を図ったＦＭ文字多重送出システムを提供することにある。
【課題を解決するための手段】
【００１３】
本発明のＦＭ文字多重送出システムは、上記の問題を解消するために、受信／更新単位をコンテンツ（番組）とする一括番組指定と、受信／更新単位を前記コンテンツのページとする非一括番組指定の比率によって、パケット化処理された番組データを一時バッファから送信データバッファへ転送するときの送出単位を格納ルールに則って切替え可能としたことを特徴とする。
【００１４】
より具体的には、本発明のＦＭ文字多重送出システムは、番組生成装置からデータ転送されてくる番組素材データおよび編成データを取得して番組データをパケット化して一時バッファに格納するパケット化処理部と、一時バッファから転送される番組データを送信するために格納する送信データバッファと、番組データの送出単位を定めた複数の格納ルールを事前登録しておくための格納ルールメモリと、一時バッファに格納されたパケットの各ページについて、受信／更新単位を番組単位とする一括番組指定のページ数と、受信／更新単位をページ単位とする非一括番組指定のページ数をカウントする番組形態数チェック部と、カウントされた一括番組のページ数と非一括番組のページ数の送出予定番組全ページ数に占める比率によって、格納ルールの内の何れを適用すべきかを判定する格納パターン判定部と、判定の結果により求めた格納ルールに則って、一時バッファに格納されたパケットを送信データバッファへ転送する送出制御部を有することを特徴とする。
【００１５】
格納ルールは、例えば、一括番組のページ数が送出予定番組全ページ数の半数以上であるときに適用される番組単位の連続送出、一括番組のページ数が送出予定番組全ページ数の半数未満のときに適用されるページ単位の連続送出、比率が逐次変動するときに適用される各パケット化データの均等送出とするというものである。
【００１６】
また、送出制御部に対して、番組単位の連続送出、ページ単位の連続送出またはパケット化データの均等送出を設定可能とし、判定の結果に拘わらず固定化するようにしてもよい。
【発明の効果】
【００１７】
本発明の第１の効果は、最適化処理によりパケット化済みデータの送出単位（順番）を切替え可能とすることで、移動体受信機側では、受信環境変化により取得できない番組またはページのみが画面表示できず、それ以外の受信が完結した番組またはページから画面表示可能になるため、受信環境変化における移動体受信機側の番組表示速度向上が可能になるということである。
【００１８】
また、第２の効果は、送出方法（順番）を変更可能とすることで移動体受信機側の条件に応じて、最適となる送出方法を送出者の意図により変更できるということである。
【発明を実施するための最良の形態】
【００１９】
次に、本発明の実施の形態について図面を参照しながら詳細に説明する。
【００２０】
図１は、ＦＭ文字多重送出システムの一般的な概略構成を示し、番組生成装置，制御装置，送出装置および送信装置から成る。番組生成装置は、上位システム（不図示）からデータフォーマットの異なった番組素材データを受信して、当該ＦＭ番組データ多重送出システム内で管理可能なデータフォーマットに変換後に、あるいは上位システムから文字情報の元データとなる素材を受信して当該ＦＭ文字多重送出システム内で新たに番組素材データを生成後に制御装置へデータ転送する。
【００２１】
また、番組生成装置は、送出スケジュールや番組編成データから送出制御データ（編成データという）を作成し、制御装置にデータ転送する。なお、番組編成データには、番組素材データ毎に定義する番組形態（一括／非一括）情報，各文字情報の送出周期等の送出制御情報が登録されており、これらは編成データに反映される。番組形態情報は番組形態指定フラグにより示されることとなる。
【００２２】
制御装置は、編成データに従って、該当する番組素材データを例えば１８バイト単位に分割して、更にそれぞれにプリフィックスと呼ばれる４バイトの伝送制御データを付加し（これを「パケット化」と称す）、送出装置にデータ転送する。このデータ転送の方法として、後述するように、格納ルールと番組形態指定フラグにより、番組連続送出、ページ連続送出または均等送出の何れかが選択される。
【００２３】
送出装置は、パケット化済みの番組データを一定時間周期で送信装置へ出力する。送信装置は、変調器、ＦＭ多重合成器およびＦＭ励振器から成り、入力されてくる番組データとステレオ音声信号の差信号により変調信号を発生し、合成・励振しＦＭ波としてオンエアする。ＦＭ文字多重送出は、文字情報毎に定義する編成データ中のデュレーションタイム（送出間隔）や送出レベル（通常・緊急）に応じて、パケット化済み番組素材データを例えば５秒間分（１９０パケットを１単位）として送出することにより行なう。
【００２４】
図２は本ＦＭ文字多重送出システムの中核部である制御装置の詳細を示す。この制御装置は、パケット化処理部１と一時バッファ２と送信データバッファ３で構成される従来の制御装置に、格納ルールメモリ４と番組形態数チェック部５と格納パターン判定部６と送出制御部７を追加した構成となっている。
【００２５】
パケット化処理部１は、番組生成装置からデータ転送されてくる番組素材データおよび編成データを取得してパケット化し、一時バッファ２に格納する。格納ルールメモリ４は、一時バッファ２に格納されたパケットを送信データバッファ３へ転送するときの単位についての格納ルールを事前登録している。第１の格納ルールは番組単位の連続送出とする、第２の格納ルールはページ単位の連続送出とする、第３の格納ルールは各パケット化データの均等送出とするというものである。
【００２６】
番組形態数チェック部５は、一時バッファ２に格納されたパケットの各ページについて、編成データ中の番組形態指定フラグを参照して、受信／更新単位を番組単位とする一括番組指定のページ数と、受信／更新単位をページ単位とする非一括番組指定のページ数をカウントする。図４の例では、一括番組指定のページ数は６、非一括番組指定非一括番組は９である。
【００２７】
格納パターン判定部６は、番組形態数チェック部５における一括番組のページ数の送出予定番組全ページ数に占める比率によって、格納ルール１〜３の内の何れを適用すべきかを次のように判定する。一括番組のページ数が送出予定番組全ページの半数以上の場合は第１の格納ルールを適用し、送出単位は番組単位の連続送出とする。一括番組のページ数が送出予定番組全ページ数の半数未満の場合は第２の格納ルールを適用し、送出単位はページ単位の連続送出とする。一括・非一括番組の比率が逐次変動する場合、第３の格納ルールを適用し、送出単位は各パケット化データの均等送出とする。
【００２８】
送信データバッファ格納処理部７は、格納パターン判定部６における判定の結果により求めたルールに則って、一時バッファ２に格納されたパケットを送信データバッファ３に格納する。具体的には、例えば、格納ルールの番号で一意に位置づけされるプログラムメモリ（不図示）のアドレスをアクセスし、そこに格納されているプログラムを起動する。このプログラムは上記格納ルールの内容を実行する。その結果は図６〜図８に例示するとおりである。
【００２９】
なお、送出制御部７には、外部からの手動設定により、格納パターン判定部６における判定結果の如何を問わず、格納ルール１〜３の何れを適用すべきかを指定することもできる。その場合は、例えば、番組単位の連続送出固定となる。
【００３０】
図３は制御装置における番組データの処理を示すフローチャートである。先ず、格納ルールメモリ４に格納ルールを事前登録する（図３のステップＳ１）。番組生成装置から番組素材データと編成データが転送されてくると、パケット化処理部１は、編成データに基づいて番組素材データから番組データを取得する。図４の例では、１ページの非一括番組（番組番号254）、２ページの非一括番組（番組番号000）、６ページの非一括番組（番組番号100）および６ページの一括番組（番組番号1１0）が示されている。
【００３１】
各番組データは、パケット化処理部１により、編成データに従ってパケット化されて（ステップＳ２）、パケット化済みデータは一時バッファ２に番組単位で格納される（ステップＳ３）。図４の例では、図５に示すように、各ページはそれぞれが１０パケットから成る１０個のパケット群#1〜#aにパケット化されている。
【００３２】
一時バッファ２に格納されたパケットの各ページは、番組形態数チェック部５により、一括番組指定のページ数と非一括番組指定のページ数がカウントされる（ステップＳ４）。図４の例では、一括番組指定のページ数は６、非一括番組指定非一括番組は９である。
【００３３】
次いで、一括番組のページ数の送出予定番組全ページ数に占める比率が格納パターン判定部６により求められ、格納ルール１〜３の内の何れを適用すべきかが判定される（ステップＳ５）。図４の例では、一括番組のページ数が送出予定番組全ページの半数以上でないから第２の格納ルールが適用されることになる。
【００３４】
一時バッファ２に格納されているパケットは、送信データバッファ格納処理部７により、適用される格納ルールに則って送信データバッファ３に格納される（ステップＳ６〜Ｓ８）。図６は第１の格納ルールによる（ステップＳ６）番組連続送出時における送信データバッファ３へのパケット化格納例、図７は第２の格納ルールによる（ステップＳ７）ページ連続送出時における送信データバッファ３へのパケット化格納の例、図８は第３の格納ルールによる（ステップＳ８）均等送出時における送信データバッファ３へのパケット化格納の例である。
【００３５】
図６を参照すると、左上隅を起点に、番組番号No.254,番組番号No.000,番組番号No.100,番組番号No.110のページ_01の全パケット#1〜#aが順次に格納されていることが分かる。このように、第１の格納ルールによれば、１つの番組の全ページの全パケットの送出の次に、次の番組の全ページの全パケットの送出というように、番組単位の送出順序となる。
【００３６】
いま、デュレーションタイム４０秒で送信中に、７段目に示すパケット群が落雷等により約５秒間分のノイズを受けた場合、受信機側では、番組番号110のパケット03#5〜03#a、パケット04#1〜04#a、パケット05#1〜05#3が欠落する。従って、ノイズが番組番号110の番組に影響し、移動体受信機では上記19個の欠落パケットを再受信するまで、番組番号110の番組の全6頁を画面表示することができない。
【００３７】
また、図７を参照すると、左上隅を起点に、番組番号No.254,番組番号No.000,番組番号No.100,番組番号No.110の第１のページ_01の全パケット#1〜#aが順次に格納され、その後は、各番組の第２のページ_02の全パケット#1〜#a、各番組の第３のページ_03〜第6のページ_06の全パケット#1〜#aが順次に格納されていることが分かる。このように、第２の格納ルールによれば、１つの番組の１つのページの全パケットの送出が終わってから、次の番組の１つのページの送出というように、ページ単位の送出順序となる。
【００３８】
いま、デュレーションタイム４０秒で送信中に、７段目に示すパケット群が落雷等により約５秒間分のノイズを受けた場合、受信機側では、番組番号100のパケット05#5〜05#aとパケット06#1〜06#3、番組番号110のパケット05#1〜05#aが欠落する。従って、ノイズが番組番号100の番組と番組番号110の番組に影響し、移動体受信機では上記19個の欠落パケットを再受信するまで、番組番号100の2頁と番組番号110の6頁を画面表示することができない。
【００３９】
また、図８を参照すると、左上隅を起点に、ページNo.254_01,ページNo.000_01,ページNo.000_02,ページNo.100_01〜ページNo.100_06,ページNo.110_01〜ページNo.110_06の各ページの第１のパケット#1が順次に格納され、その後は、各ページの第２のパケット#2、各ページの第３のパケット#3〜第１０のパケット#aが順次に格納されていることが分かる。このように、第３の格納ルールによれば、１つの番組の１つのページの１つのパケットの送出の次に、次の番組の１つのページの１つのパケットの送出というように、パケット単位の送出順序となる。この場合は、前述したように、19個の欠落パケットを再受信するまで、全番組の全15頁を画面表示することができない。
【００４０】
上記の結果により、３つの格納ルールを比較すると、受信環境変化による影響の点では、第１の格納ルールが適用される番組連続送出と第２の格納ルールが適用されるページ連続送出が第３の格納ルールが適用される均等送出に比べて格段に優れ、また番組連続送出がページ連続送出より少しだけ優れていることが分かる。しかし、番組受信機側における表示速度からは逆の優位順位となる。
【００４１】
従って、格納パターン判定部６は、番組形態数チェック部５から入力する番組形態数と共に、番組受信機側における表示速度をも考慮して判定するのが現実的である。そのためには、例えば、そのような判定ルールを外部から格納パターン判定部６へ入力するか、そのようなロジックを格納パターン判定部６に組み込み、格納ルールメモリ４に登録されている格納ルールには従わないように指示すればよい。
【００４２】
以上のようにして送信データバッファ３に格納された番組データは、送出装置へ転送される（ステップＳ９）。送出装置は一定時間、例えば５秒単位に送出制御を行い、送信装置の変調器に対してパケット化済みデータを出力する。変調器は入力されてくる番組データとステレオ音声信号の差信号により変調信号を発生し、ＦＭ多重合成器およびＦＭ励振器は、この変調信号とステレオ音声信号を多重化合成・励振し、ＦＭ波としてオンエアする。
【産業上の利用可能性】
【００４３】
本発明によれば、少量のノイズ影響を受ける環境下で受信完了後に取得データのデブロッキング処理を実施する受信機と、単一方向のデータ通信を行う用途に適用できる。
【図面の簡単な説明】
【００４４】
【図１】ＦＭ文字多重送出システムの一般的な概略構成を示すブロック図
【図２】本発明のＦＭ文字多重送出システムの中核部である制御装置のブロック図
【図３】本発明における番組データの処理を示すフローチャート
【図４】番組のページ例を示すイメージ図
【図５】番組の各ページがパケット化された例を示すイメージ図
【図６】番組単位の連続送出時の送信データバッファへのパケット格納イメージ図
【図７】ページ単位の連続送出時の送信データバッファへのパケット格納イメージ図
【図８】パケット単位の均等送出時の送信データバッファへのパケット格納イメージ図
【符号の説明】
【００４５】
１  パケット化処理部
２  一時バッファ
３  送信データバッファ
４  格納ルールメモリ
５  番組形態数チェック部
６  格納パターン判定部
７  送出制御部
【図１】
2010147980.tif 000003
【図２】
2010147980.tif 000004
【図３】
2010147980.tif 000005
【図４】
2010147980.tif 000006
【図５】
2010147980.tif 000007
【図６】
2010147980.tif 000008
【図７】
2010147980.tif 000009
【図８】
2010147980.tif 000010